(57)【要約】【課題】部品点数を削減して小型化を図り、使い勝手を向上させる上で有利な光ヘッドおよび光ディスク装置を提供する。【解決手段】光路分離手段２２は、第１の光路Ｌ１を通って入射する第１、第２の光ビームＢ１、Ｂ２を反射してコリメータ３２、１／４波長板３４、立ち上げミラー３６を介して対物レンズ１４へ導き対物レンズ１４から光記録媒体１０２に照射させる第２の光路Ｌ２を形成するとともに、第１、第２の光ビームＢ１、Ｂ２を透過して対物レンズ１４と異なる箇所に導く第３の光路Ｌ３を形成する。第３の光路Ｌ３上には、光パワーモニタ用の光検出手段１６が位置しており、このパワーモニタ用の光検出手段１６により光分離手段２２を透過した第１、第２の光ビームＢ１、Ｂ２が受光されるようになっている。【選択図】　　　　図１
2004139668.tif 000002
【特許請求の範囲】
【請求項１】
互いに波長が異なる光ビームをそれぞれ出射する複数の光源と、
前記各光ビームを集光して光記録媒体に照射する対物レンズと、
前記光ビームを受光する光パワーモニタ用の光検出手段とを備える光ヘッドであって、
前記複数の光源と前記対物レンズの間の光路上に配設され、前記複数の光源のそれぞれから出射された光ビームのそれぞれが単一の第１の光路上を通るようにそれらの光路を合成する光路合成手段と、
前記第１の光路上に配設され、該第１の光路を通る光ビームを前記対物レンズを経て光記録媒体に導く第２の光路と、前記対物レンズと異なる箇所に導く第３の光路とを形成する光路分離手段とを備え、
前記光パワーモニター用の光検出手段は単一で前記第３の光路上に配設されこの単一の光パワーモニター用の光検出手段により前記互いに波長が異なる光ビームが受光されるように構成されている、
を備えることを特徴とする光ヘッド。
【請求項２】
前記光記録媒体に照射された前記光ビームが前記光記録媒体の記録面で反射された反射光ビームは、前記第２の光路を逆に通って前記光路分離手段を透過することにより前記第３の光路とは異なる第４の光路に導かれるように構成され、前記第４の光路上には単一の信号検出用の光検出手段が配置され、前記第１の光ビームと第２の光ビームの各反射光ビームは前記単一の信号検出用の光検出手段で受光されるように構成されていることを特徴とする請求項１記載の光ヘッド。
【請求項３】
前記第４の光路上には該第４の光路上を通る前記光ビームの反射光ビームを前記信号検出用の光検出手段に集光する集光レンズが配置されていることを特徴とする請求項２記載の光ヘッド。
【請求項４】
前記光路分離手段はビームスプリッタ膜を有し、前記第２の光路、第３の光路、第４の光路は前記ビームスプリッタ膜により形成されていることを特徴とする請求項２記載の光ヘッド。
【請求項５】
前記複数の光源はＤＶＤ系の光記録媒体用の波長を有する第１の光ビームを出射する第１の光源と、ＣＤ系の光記録媒体用の波長を有する第２の光ビームを出射する第２の光源とから構成されていることを特徴とする請求項１記載の光ヘッド。
【請求項６】
前記第１の光源から前記光路合成手段に向かう光路と前記第２の光源から前記光路合成手段に向かう光路とはほぼ９０度をなしていることを特徴とする請求項５記載の光ヘッド。
【請求項７】
前記光路合成手段は直方体状に形成され、前記第１の光源と第２の光源は前記光路合成手段の直交する２面に対向して配置されていることを特徴とする請求項６記載の光ヘッド。
【請求項８】
前記光路合成手段はビームスプリッタ膜を有し、前記単一の第１の光路は前記ビームスプリッタ膜により形成されていることを特徴とする請求項１記載の光ヘッド。
【請求項９】
前記第１の光源と前記光路合成手段との間の光路上には前記第１の光ビームのビーム形状を整形するアナモルフィックレンズが配置されていることを特徴とする請求項５記載の光ヘッド。
【請求項１０】
前記第２の光源と前記光路合成手段との間の光路上には前記第２の光源から出射される第２の光ビームを効率よく集めるためのカップリングレンズが配置されていることを特徴とする請求項５記載の光ヘッド。
【請求項１１】
前記第１の光源と前記光路合成手段との間の光路上には前記第１の光ビームから２つのサイドビームとこれら２つのビームに挟まれた１つのセンタービームを生成するグレーティング素子が配置されていることを特徴とする請求項５記載の光ヘッド。
【請求項１２】
前記第２の光源と前記光路合成手段との間の光路上には前記第２の光ビームから２つのサイドビームとこれら２つのビームに挟まれた１つのセンタービームを生成するグレーティング素子が配置されていることを特徴とする請求項５記載の光ヘッド。
【請求項１３】
前記第２の光路上には該第２の光路上を通る前記光ビームを平行光にするコリメータレンズが配置されていることを特徴とする請求項１記載の光ヘッド。
【請求項１４】
前記第２の光路上には該第２の光路上を通る前記光ビームの偏光方向を変える１／４波長板が配置されていることを特徴とする請求項１記載の光ヘッド。
【請求項１５】
前記第１の光源と前記光路合成手段との間の光路上には前記第１の光ビームのビーム形状を整形するとともに、平行光とするアナモルフィックコリメータレンズが配置されていることを特徴とする請求項５記載の光ヘッド。
【請求項１６】
前記第２の光源と前記光路合成手段との間の光路上には前記第２の光源から出射される第２の光ビームを平行光とするコリメータレンズが配置されていることを特徴とする請求項５記載の光ヘッド。
【請求項１７】
前記光路分離手段と前記集光レンズの間の前記第４の光路上に該第４の光路上を通る前記光ビームの反射光ビームを平行光にするコリメータレンズが配置されていることを特徴とする請求項３記載の光ヘッド。
【請求項１８】
光記録媒体を保持して回転駆動する駆動手段と、
前記駆動手段によって回転駆動する光記録媒体に対し、光を照射し、前記光記録媒体からの反射光を検出する光ヘッドとを有し、
前記光ヘッドは、
互いに波長が異なる光ビームをそれぞれ出射する複数の光源と、
前記各光ビームを集光して光記録媒体に照射する対物レンズと、
前記光ビームを受光する光パワーモニタ用の光検出手段とを備える光ヘッドであって、
前記複数の光源と前記対物レンズの間の光路上に配設され、前記複数の光源のそれぞれから出射された光ビームのそれぞれが単一の第１の光路上を通るようにそれらの光路を合成する光路合成手段と、
前記第１の光路上に配設され、該第１の光路を通る光ビームを前記対物レンズを経て光記録媒体に導く第２の光路と、前記対物レンズと異なる箇所に導く第３の光路とを形成する光路分離手段とを備え、
前記光パワーモニター用の光検出手段は単一で前記第３の光路上に配設されこの単一の光パワーモニター用の光検出手段により前記互いに波長が異なる光ビームが受光されるように構成されている、
ことを特徴とする光ディスク装置。
【請求項１９】
前記光記録媒体に照射された前記光ビームが前記光記録媒体の記録面で反射された反射光ビームは、前記第２の光路を逆に通って前記光路分離手段を透過することにより前記第３の光路とは異なる第４の光路に導かれるように構成され、前記第４の光路上には単一の信号検出用の光検出手段が配置され、前記第１の光ビームと第２の光ビームの各反射光ビームは前記単一の信号検出用の光検出手段で受光されるように構成されていることを特徴とする請求項１８記載の光ディスク装置。
【請求項２０】
前記第４の光路上には該第４の光路上を通る前記光ビームの反射光ビームを前記信号検出用の光検出手段に集光する集光レンズが配置されていることを特徴とする請求項１９記載の光ディスク装置。
【請求項２１】
前記光路分離手段はビームスプリッタ膜を有し、前記第２の光路、第３の光路、第４の光路は前記ビームスプリッタ膜により形成されていることを特徴とする請求項１９記載の光ディスク装置。
【請求項２２】
前記複数の光源はＤＶＤ系の光記録媒体用の波長を有する第１の光ビームを出射する第１の光源と、ＣＤ系の光記録媒体用の波長を有する第２の光ビームを出射する第２の光源とから構成されていることを特徴とする請求項１８記載の光ディスク装置。
【請求項２３】
前記第１の光源から前記光路合成手段に向かう光路と前記第２の光源から前記光路合成手段に向かう光路とはほぼ９０度をなしていることを特徴とする請求項２２記載の光ディスク装置。
【請求項２４】
前記光路合成手段は直方体状に形成され、前記第１の光源と第２の光源は前記光路合成手段の直交する２面に対向して配置されていることを特徴とする請求項２３記載の光ディスク装置。
【請求項２５】
前記光路合成手段はビームスプリッタ膜を有し、前記単一の第１の光路は前記ビームスプリッタ膜により形成されていることを特徴とする請求項１８記載の光ディスク装置。
【請求項２６】
前記第１の光源と前記光路合成手段との間の光路上には前記第１の光ビームのビーム形状を整形するアナモルフィックレンズが配置されていることを特徴とする請求項２２記載の光ディスク装置。
【請求項２７】
前記第２の光源と前記光路合成手段との間の光路上には前記第２の光源から出射される第２の光ビームを効率よく集めるためのカップリングレンズが配置されていることを特徴とする請求項２２記載の光ディスク装置。
【請求項２８】
前記第１の光源と前記光路合成手段との間の光路上には前記第１の光ビームから２つのサイドビームとこれら２つのビームに挟まれた１つのセンタービームを生成するグレーティング素子が配置されていることを特徴とする請求項２２記載の光ディスク装置。
【請求項２９】
前記第２の光源と前記光路合成手段との間の光路上には前記第２の光ビームから２つのサイドビームとこれら２つのビームに挟まれた１つのセンタービームを生成するグレーティング素子が配置されていることを特徴とする請求項２２記載の光ディスク装置。
【請求項３０】
前記第２の光路上には該第２の光路上を通る前記光ビームを平行光にするコリメータレンズが配置されていることを特徴とする請求項１８記載の光ディスク装置。
【請求項３１】
前記第２の光路上には該第２の光路上を通る前記光ビームの偏光方向を変える１／４波長板が配置されていることを特徴とする請求項１８記載の光ディスク装置。
【請求項３２】
前記第１の光源と前記光路合成手段との間の光路上には前記第１の光ビームのビーム形状を整形するとともに、平行光とするアナモルフィックコリメータレンズが配置されていることを特徴とする請求項２２記載の光ディスク装置。
【請求項３３】
前記第２の光源と前記光路合成手段との間の光路上には前記第２の光源から出射される第２の光ビームを平行光とするコリメータレンズが配置されていることを特徴とする請求項２２記載の光ディスク装置。
【請求項３４】
前記光路分離手段と前記集光レンズの間の前記第４の光路上に該第４の光路上を通る前記光ビームの反射光ビームを平行光にするコリメータレンズが配置されていることを特徴とする請求項２０記載の光ディスク装置。
【発明の詳細な説明】
【０００１】
【発明の属する技術分野】
本発明は、光ヘッドおよび光ディスク装置に関する。
【０００２】
【従来の技術】
従来からＣＤ−Ｒの記録再生とＤＶＤ−Ｒの記録再生との双方を行なうように構成されたいわゆるコンパチブルタイプの光ヘッドが知られている（例えば特許文献１）。
図１３はＣＤ−Ｒの記録再生と、ＤＶＤ−Ｒの記録再生との双方を行なうように構成されたいわゆるコンパチブルタイプの光ヘッドの光学系の第１の従来例を示す構成図である。
この光ヘッド２００Ａは、ディスクリート光学系で構成されたＤＶＤ部とホログラムレーザー光学系で構成されたＣＤ部を合成した光学系で構成されている。前記ＤＶＤ部の往路系は、波長６５５ｎｍの半導体レーザー（ＬＤ）と、発散光をコリメートするコリメーターレンズ（ＣＬ１）と、３ビームを得る為のグレーティング（ＧＲＴ）と、レーザーパワーをモニターする為の受光素子（Ｆ−ＰＤＩＣ１）と、光ビームを楕円形状から略円形状に整形する機能と戻り光の進行方向を変換する機能を備えたアナモプリズム（Ａｎａｍｏ）と、直線偏光を円偏光にする１／４波長板（ＱＷＰ１）と、波長６５５ｎｍと７８０ｎｍの光ビームの進行方向を同一光路に合成するビームスプリッター（ＢＳ）と、光記録媒体の記録面へ垂直入射させる為に前記光ビームの進行方向を変換するミラー（Ｍｉｒｒｏｒ１）と、光記録媒体の記録面上に光を結象させる為の対物レンズ（２Ｗ−ＯＬ）とから構成されている。
【０００３】
前記ＤＶＤ部の復路系は、前記往路系と共通に使用される、前記対物レンズ（２Ｗ−ＯＬ）、ビームスプリッター（ＢＳ）、１／４波長板（ＱＷＰ１）、アナモプリズム（Ａｎａｍｏ）を有しており、それ以降の部品として、フォーカスサーボ及びトラキングサーボの制御に必要な信号取り出すための受光素子および電気回路を含む集積素子（ＰＤＩＣ）と、前記受光素子上にスポットを落とす為のコリメーターレンズ（ＣＬ３）と、デフォーカス調整とフォーカスサーボに必要な非点収差を出すためのマルチレンズ（ＭＬ）とを有して構成されている。
前記ＣＤ部の往路系は、フォーカスサーボ及びトラッキングサーボを制御する為に必要な電気信号を取り出す機能を備えたホログラムレーザー（ＣＤＲ−ＨＯＥ）と、発散光をコリメートするコリメーターレンズ（ＣＬ２）と、直線偏光を円偏光にする１／４波長板（ＱＷＰ２）と、光ビームを反射してその進行方向を変換するミラー（Ｍｉｒｒｏｒ２）と、レーザーパワーをモニターする為の受光素子（Ｆ−ＰＤＩＣ２）と、波長６５５ｎｍと７８０ｎｍの光ビームの進行方向を同一光路に合成するビームスプリッター（ＢＳ）と、光記録媒体の記録面上へ垂直入射させる為に光ビームの進行方向を変換するミラー（Ｍｉｒｒｏｒ１）と、光記録媒体の記録面上に光を結象させる為の対物レンズ（２Ｗ−ＯＬ）とから構成されている。
前記ＣＤ部の復路系は往路系の逆順で同じである。
【０００４】
図１４はＣＤ−Ｒの記録再生と、ＤＶＤ−Ｒの記録再生との双方を行なうように構成されたいわゆるコンパチブルタイプの光ヘッドの光学系の第２の従来例を示す構成図である。
この光ヘッド２００Ｂは、ディスクリート光学系で構成されたＤＶＤ部と、同じくディスクリート光学系で構成されたＣＤ部を合成した光学系で構成されている。
前記ＤＶＤ部の往路系は、波長６５５ｎｍの半導体レーザー（ＬＤ１）と、３ビームを得る為のグレーティング（ＧＲＴ１）と、戻り光の進行方向を変換する機能を備えたビームスプリッター（ＣＢＳ）と、発散光をコリメートするコリメーターレンズ（ＣＬ１）と、レーザーパワーをモニターする為の受光素子（Ｆ−ＰＤＩＣ１）と、ビーム形状を変換する為のアナモプリズム（Ａｎａｍｏ）と、直線偏光を円偏光にする１／４波長板（ＱＷＰ）と、光記録媒体の記録面上へ垂直入射させる為に光ビームの進行方向を変換するミラー（Ｍｉｒｒｏｒ）と、光記録媒体の記録面上に光を結象させる為の対物レンズ（２Ｗ−ＯＬ）とから構成されている。
前記ＣＤ部の往路系は、波長７８０ｎｍの半導体レーザー（ＬＤ２）と、３ビームを得る為のグレーティング（ＧＲＴ２）と、光ビームを２方向に分離するビームスプリッター（ＢＳＰ）と、発散光をコリメートするコリメーターレンズ（ＣＬ２）と、レーザーパワーをモニターする為の受光素子（Ｆ−ＰＤＩＣ２）と、２つの光ビームを同一光路上に合成するプリズム（Ａｎａｍｏ）と、直線偏光を円偏光にする１／４波長板（ＱＷＰ）と、Ｄｉｓｃ面へ垂直入射させる為に光ビームの進行方向を変換するミラー（Ｍｉｒｒｏｒ）と、光記録媒体の記録面上に光を結象させる為の対物レンズ（２Ｗ−ＯＬ）とを有して構成されている。
前記ＣＤ部の復路系は、前記往路系と共通に使用される、対物レンズ（２Ｗ−ＯＬ）、ミラー（Ｍｉｒｒｏｒ）、１／４波長板（ＱＷＰ）、プリズム（Ａｎａｍｏ）、コリメーターレンズ（ＣＬ２）、ビームスプリッター（ＢＳＰ）を有して構成され、それ以降の部品は、デフォーカス調整とフォーカスサーボに必要な非点収差を出すためのマルチレンズ（ＭＬ）と、フォーカス及びトラキングサーボの制御信号を取り出すＰＤＩＣ（ＰＤＩＣ）とを有して構成されている。
【０００５】
【特許文献１】
特開平１０−２６９６１２号公報
【０００６】
【発明が解決しようとする課題】
上述した第１、第２の従来例の光ヘッド２００Ａ、２００Ｂは、部品点数が多いため、低コスト化、小型化を図ることが難しい。
特にハーフハイトサイズと称される大きさの光ディスク装置においては、光ヘッドの収容スペースに余裕があるため、前記従来例１、２のような構成のものでも問題はなかったが、前記ハーフハイトサイズよりも小型化された光ディスク装置は、その収容スペースが狭いため、前記従来例１、２のような光ヘッドの実装は難しく、光ヘッドの小型化が求められている。
また、ホログラムレーザが割高で光利用効率があまり良くない点、アナモプリズムに関する光学的調整が面倒である点などの欠点があるため、これらの欠点を解消することが求められている。
本発明は、このような実状に鑑みてなされたものであり、その目的とするところは、部品点数を削減して小型化を図り、使い勝手を向上させる上で有利な光ヘッドおよび光ディスク装置を提供することにある。
【０００７】
【課題を解決するための手段】
本発明の光ヘッドは、前記目的を達成するため、互いに波長が異なる光ビームをそれぞれ出射する複数の光源と、前記各光ビームを集光して光記録媒体に照射する対物レンズと、前記光ビームを受光する光パワーモニタ用の光検出手段とを備える光ヘッドであって、前記複数の光源と前記対物レンズの間の光路上に配設され、前記複数の光源のそれぞれから出射された光ビームのそれぞれが単一の第１の光路上を通るようにそれらの光路を合成する光路合成手段と、前記第１の光路上に配設され、該第１の光路を通る光ビームを前記対物レンズを経て光記録媒体に導く第２の光路と、前記対物レンズと異なる箇所に導く第３の光路とを形成する光路分離手段とを備え、前記光パワーモニター用の光検出手段は単一で前記第３の光路上に配設されこの単一の光パワーモニター用の光検出手段により前記互いに波長が異なる光ビームが受光されるように構成されているを備えることを特徴とする。
【０００８】
また、本発明の光ディスク装置は、光記録媒体を保持して回転駆動する駆動手段と、前記駆動手段によって回転駆動する光記録媒体に対し、光を照射し、前記光記録媒体からの反射光を検出する光ヘッドとを有し、前記光ヘッドは、互いに波長が異なる光ビームをそれぞれ出射する複数の光源と、前記各光ビームを集光して光記録媒体に照射する対物レンズと、前記光ビームを受光する光パワーモニタ用の光検出手段とを備える光ヘッドであって、前記複数の光源と前記対物レンズの間の光路上に配設され、前記複数の光源のそれぞれから出射された光ビームのそれぞれが単一の第１の光路上を通るようにそれらの光路を合成する光路合成手段と、前記第１の光路上に配設され、該第１の光路を通る光ビームを前記対物レンズを経て光記録媒体に導く第２の光路と、前記対物レンズと異なる箇所に導く第３の光路とを形成する光路分離手段とを備え、前記光パワーモニター用の光検出手段は単一で前記第３の光路上に配設されこの単一の光パワーモニター用の光検出手段により前記互いに波長が異なる光ビームが受光されるように構成されていることを特徴とする光ディスク装置。
【０００９】
そのため、本発明によれば、複数の光源のそれぞれから出射される各光ビームは、前記光路合成手段に入射されることにより、前記第１の光路により前記光路分離手段に入射される。前記光ビームは前記光路分離手段により形成される第３の光路により前記光パワーモニター用の光検出手段に受光されるとともに、前記光路分離手段により形成される第２の光路により前記対物レンズを経て光記録媒体に照射される。
【００１０】
【発明の実施の形態】
以下、本発明による光ヘッド及び光ディスク装置の実施の形態を図面に基づいて詳細に説明する。
図２は、本発明の第１の実施の形態における光ディスク装置の構成を示すブロック図である。
光ディスク装置１０１は、光記録媒体１０２を回転駆動する駆動手段としてのスピンドルモータ１０３と、光ヘッド１０４と、その駆動手段としての送りモータ１０５とを備えている。ここで、スピンドルモータ１０３は、システムコントローラ１０７及びサーボ制御回路１０９により駆動制御され、所定の回転数で回転される。
【００１１】
信号変復調部及びＥＣＣブロック１０８は、信号の変調、復調及びＥＣＣ（エラー訂正符号）の付加を行う。光ヘッド１０４は、信号変調およびＥＣＣブロック１０８の指令に従って、回転する光記録媒体１０２の信号記録面に対して、それぞれ光照射を行う。このような光照射により光記録媒体１０２に対する記録、再生が行われる。
また、光ヘッド１０４は、光記録媒体１０２の信号記録面からの反射光ビームに基づいて、後述するような各種の光ビームを検出し、各光ビームに対応する信号をプリアンプ部１２０に供給する。
また、レーザ制御部１２１は、光記録媒体１０２に照射される光ビームの光パワーを制御する。
【００１２】
プリアンプ部１２０は、各光ビームに対応する信号に基づいてフォーカスエラー信号、トラッキングエラー信号、ＲＦ信号等を生成できるように構成されている。再生対象とされる記録媒体の種類に応じて、サーボ制御回路１０９、信号変調及びＥＣＣブロック１０８等により、これらの信号に基づく復調及び誤り訂正処理等の所定の処理が行われる。
これにより、復調された記録信号は、例えばコンピュータのデータストレージ用であれば、インタフェース１１１を介して外部コンピュータ１３０等に送出される。これにより、外部コンピュータ１３０等は光記録媒体１０２に記録された信号を再生信号として受け取ることができるようになっている。
【００１３】
また、オーディオ・ビジュアル用であれば、Ｄ／Ａ，Ａ／Ｄ変換器１１２のＤ／Ａ変換部でデジタル／アナログ変換され、オーディオ・ビジュアル処理部１１３に供給される。そして、このオーディオ・ビジュアル処理部１１３でオーディオ・ビデオ信号処理が行われ、オーディオ・ビジュアル信号入出力部１１４を介して外部の撮像・映写機器に伝送される。
上記光ヘッド１０４には、例えば光記録媒体１０２上の所定の記録トラックまで、移動させるための送りモータ１０５が接続されている。スピンドルモータ１０３の制御と、送りモータ１０５の制御と、光ヘッド１０４の対物レンズを保持する二軸アクチュエータのフォーカシング方向及びトラッキング方向の制御は、それぞれサーボ制御回路１０９により行われる。
【００１４】
図１は、本発明の第１の実施の形態による光ヘッドの光学系を示す構成図である。
図１において、光ヘッド１０４は、第１の光源１０、第２の光源１２、対物レンズ１４、単一の光パワーモニタ用の光検出手段１６、単一の信号検出用の光検出手段１８、光路合成手段２０、光路分離手段２２、アナモルフィックレンズ２４、グレーティング素子２６、カップリングレンズ２８、グレーティング素子３０、コリメータレンズ３２、１／４波長板３４、立ち上げミラー３６、集光レンズ３８を備えており、これらの各部品がホルダ４０（図１００および図１０１参照）にマウントされて構成されている。
【００１５】
前記第１の光源１０は、ＤＶＤ、ＤＶＤ−Ｒ（ＤＶＤ系の光記録媒体）の再生および記録用の波長λ１（例えば波長６５０ｎｍ）を有する第１の光ビームを出射する半導体レーザから構成されている。
前記第２の光源１２はＣＤ、ＣＤ−ＲおよびＣＤ−ＲＷ（ＣＤ系の光記録媒体）の再生および記録用の波長λ２（例えば波長７８０ｎｍ）を有する第２の光ビームを出射するように構成された半導体レーザから構成されている。すなわち、第１の光ビームと第２の光ビームとの波長は異なっている。
前記第１の光源１０は、前記光記録媒体１０２の記録面と平行な方向（紙面と平行な方向）に向けて配置され、前記第２の光源１２は光記録媒体の記録面と平行な面内で前記第１の光源１０の向きと直交する方向に向けて配置され、前記対物レンズ１４は、前記光記録媒体の記録面と直交する方向（紙面と直交する方向）に光軸を向けて配置されている。
【００１６】
前記光路合成手段２０は、立方体状に形成され、前記光記録媒体１０２の記録面と平行な方向に向いた立方体の第１の面は前記第１の光源１０に臨み、前記第１の面と直交し前記平行な方向に向いた第２の面は前記第２の光源１２に臨んでいる。
前記光路分離手段２２は、光路合成手段２０の前記第１の面と平行をなす第３の面に臨んで配置されている。
前記光パワーモニタ用の光検出手段１６は、前記光路分離手段２２の裏面に臨んで配置され（光路分離手段２２の光路合成手段２０とは反対側の箇所に配置され）、また、前記信号検出用の光検出手段１８は前記集光レンズ３６を介して前記光路分離手段２２の裏面に臨んで配置され（光路分離手段２２の光路合成手段２０とは反対側の箇所に配置され）、光路分離手段２２と光検出手段１８との間に前記光路分離手段２２から導かれる光ビームを光検出手段１８上に集光する集光レンズ３８が配置されている。
【００１７】
前記アナモルフィックレンズ２４と前記グレーティング素子２６は、前記第１の光源１０と前記光路合成手段２０の第１の面の間の光路上に配置されている。
前記アナモルフィックレンズ２４は、前記第１の光源１０から出射される第１の光ビームＢ１のビーム形状を楕円形状から真円形状に変換するように構成されている。
図３に示すように、前記第１の光源１０から出射される第１の光ビームＢ１は、第１の光源１０を構成する半導体レーザの接合面と垂直な方向に破線で示すように大きなビーム放射角を有し、前記接合面と平行な方向に実線で示すように小さなビーム放射角を有している。前記アナモルフィックレンズ２４は、この第１の光ビームＢ１の接合面と垂直な方向と平行な方向のビーム放射角が同じとなるように、すなわちビーム形状が真円状態となるように第１の光ビームＢ１のビーム成形を行なうように構成されている。本実施の形態では、前記アナモルフィックレンズ２４は、整形後の光ビームを発散光として出射するように構成されている。
【００１８】
前記グレーティング素子２６は、前記アナモルフィックレンズ２４と前記光路合成手段２０の第１の面の間の光路上に配置されている。
前記グレーティング素子２６は、前記第１のビームＢ１からトラッキングエラー信号検出用の２つのサイドビームと、これら２つのサイドビームに挟まれた１つのセンタビームの３つのビームを生成するように構成されている。
【００１９】
前記カップリングレンズ２８と前記グレーティング素子３０は、前記第２の光源１２と前記光路合成手段２０の第２の面の間の光路上に配置されている。
前記カップリングレンズ２８は、前記第２の光源１２から出射される第２の光ビームＢ２を効率よく前記対物レンズ１４へ導くとともに、前記第１の光源１２、カップリングレンズ２８、コリメータレンズ３２および対物レンズ１４などから構成されるＣＤ系の光学系の光学倍率が所定の数値となるように構成されている。
前記グレーティング素子３０は、前記カップリングレンズ２８と前記光路合成手段２０の第２の面の間の光路上に配置されている。
前記グレーティング素子３０は、前記第２のビームＢ２からトラッキングエラー信号検出用の２つのサイドビームと、これら２つのサイドビームに挟まれた１つのセンタビームの３つのビームを生成するように構成されている。
【００２０】
前記コリメータレンズ３２と前記前記１／４波長板３４と前記立ち上げミラー３６は、前記光路分離手段２２と対物レンズ１４との間の光路上に配置されている。
前記コリメータレンズ３２は、前記光路分離手段２２の表面に臨んで配置され、該光路分離手段２２で導かれた光ビームを平行光にするように構成されている。
前記前記１／４波長板３４は、前記コリメータレンズ３２を介して前記光路分離手段２２に臨んで配置され、この１／４波長板３４を透過する光ビームの偏光方向を直線偏向および円偏光の一方から他方に変化させるように構成されている。
前記立ち上げミラー３６は、前記１／４波長板３４に臨み、かつ、光記録媒体１０２とは反対側のコリメータレンズ３２箇所に臨ませて配置されている。
前記立ち上げミラー３６は、前記コリメータレンズ３２、１／４波長板３４をこの順で通過する光ビームを反射することでその進行方向を前記光記録媒体１０２と平行な方向からこの方向と直交する方向に変換して前記対物レンズ１４に導くとともに、前記光記録媒体１０２で反射され前記対物レンズ１４を透過した反射光ビームを反射することでその進行方向を前記直交する方向から前記平行な方向に変換して前記１／４波長板３４、コリメータレンズ３２に導くように構成されている。
【００２１】
前記光路合成手段２０は、ビームスプリッタ膜２００２を備え、例えば、透明な合成樹脂やガラスに前記ビームスプリッタ膜２００２が一体的に組付けられることで直方体形状の単一の部品として構成され、ビームスプリッタ膜２００２はその表面が第１の光源１０に臨み、裏面が第２の光源１２に臨むように設けられている。本実施の形態では、前記ビームスプリッタ膜２００２は、前記第１の光源１００４の光路の光軸と前記第２の光源１２０４の光路の光軸の双方に対してほぼ４５度をなすように配設されている。
前記ビームスプリッタ膜２００２は、本実施の形態では、図４、図５に示すように、波長６５５ｎｍの第１の光ビームＢ１は透過し、波長７８０ｎｍの第２の光ビームＢ２は反射するような透過特性を有している。また、前記光ビームのＳ偏光、Ｐ偏光のいずれであっても第１の光ビームＢ１を透過し、第２の光ビームＢ２を反射するように構成されている。
これにより、前記光路合成手段２０は、前記第１、第２の光源１０、１２のそれぞれから出射された第１、第２の光ビームＢ１、Ｂ２のそれぞれが単一の第１の光路Ｌ１上を通るようにそれらの光路を合成している。
【００２２】
前記光路分離手段２２は、板状に形成され、前記第１の光路Ｌ１上において、表面が前記光路合成手段２０の第３面と前記コリメータレンズ３２との双方に臨み、その裏面が前記光パワーモニター用の光検出手段１６と集光レンズ３８との双方に臨むように配置されている。
前記光路分離手段２２の表面には、ビームスプリッタ膜２２０２が設けられている。このビームスプリッタ膜２２０２は、本実施の形態では、図６に示すように、波長６５５ｎｍの第１の光ビームＢ１および波長７８０ｎｍの第２の光ビームＢ２のいずれについても、１０％乃至２０％程度の透過率を有している。この透過率は、前記ビームスプリッタ膜２００２に入射する光ビームのＳ偏光、Ｐ偏光のそれぞれについて同程度の数値となっている。
【００２３】
すなわち、前記ビームスプリッタ膜２２０２は、図７に示すように、このビームスプリッタ膜２２０２に入射する光ビームの一部（入射する光ビームの１０％乃至２０％程度）を透過し、残り（入射する光ビームの９０％乃至８０％程度）を反射する透過特性を有している。
これにより、前記光路分離手段２２は、前記第１の光路Ｌ１を通って入射する前記第１、第２の光ビームＢ１、Ｂ２を反射して前記コリメータ３２、１／４波長板３４、立ち上げミラー３６を介して対物レンズ１４へ導き対物レンズ１４から光記録媒体１０２に照射させる第２の光路Ｌ２を形成するとともに、前記第１、第２の光ビームＢ１、Ｂ２を透過して前記対物レンズ１４と異なる箇所に導く第３の光路Ｌ３を形成している。
前記第３の光路Ｌ３上には、前記光パワーモニタ用の光検出手段１６が位置しており、このパワーモニタ用の光検出手段１６により前記光分離手段２２を透過した前記第１、第２の光ビームＢ１、Ｂ２が受光されるようになっている。
【００２４】
前記光記録媒体１０２に照射された第１、第２の光ビームＢ１、Ｂ２が前記記録媒体１０２の記録面で反射された反射光ビームは、前記対物レンズ１４、立ち上げミラー３６、１／４波長板３４、コリメータ３２をこの順に通って、すなわち前記第２の光路Ｌ２を逆に通って前記光路分離手段２２に入射する。
そして、前記光路分離手段２２に入射された第１、第２の光ビームＢ１、Ｂ２の反射光ビームは該光路分離手段２２を透過することにより前記第３の光路Ｌ３とは異なる第４の光路Ｌ４に導かれる。
前記第４の光路Ｌ４上には、前記集光レンズ３８が位置しており、この集光レンズ３８により前記光分離手段２２を透過した前記第１、第２の光ビームＢ１、Ｂ２の反射光ビームが受光されるようになっている。
なお、本実施の形態では、図７に示すように、前記第１の光路Ｌ１が前記光路分離手段２２に対してなす入射角θ１と前記第２の光路Ｌ２が前記光路分離手段２２に対してなす出射角θ２とが２５度乃至３５度の範囲となるように構成されている。
【００２５】
上記の光学系は、具体的には次のように配置される。
図８は本実施の形態の光ディスク装置１００の構成を示す平面図、図９は光ヘッド１０４の平面図である。
図８に示すように、光ヘッド１０４はホルダ４０にマウントされ、このホルダ４０はスレッド軸４００２に案内されて光記録媒体の半径方向に移動可能に配置され、これにより光ヘッド１０４が光記録媒体の記録面に臨んで移動できるように配置されている。
図９に示すように、前記第２の光路Ｌ２と第４の光路Ｌ４がスレッド軸４００２に対してほぼ直交する方向に延在し、これら第２の光路Ｌ２と第４の光路Ｌ４よりも光記録媒体の中心寄り箇所に光検出手段１６が配置され、これら第２の光路Ｌ２と第４の光路Ｌ４よりも光記録媒体の中心とは反対側の箇所には第１の光源１０と第２の光源１２と光路合成手段２０などが配置されている。
また、前記ホルダ４０上には、前記第１、第２の光源１０、１２に隣接した箇所に、前記レーザ制御部１２１の制御に基づいて前記第１、第２の光源１０、１２の駆動を行なうレーザドライバＩＣ４２が配置されている。
【００２６】
以上のように構成された光ヘッド１０４によって光記録媒体１０２を再生する際の作用について説明する。
まず、前記光記録媒体１０２がＤＶＤ、ＤＶＤ−Ｒなどで構成されている場合には、前記レーザ制御部１２１は、前記第１の光源１０をオンとする。これにより、第１の光源１０から出射された第１の光ビームＢ１は、前記アナモルフィックレンズ２４、グレーティング素子２６を介して前記光路合成手段２０に入射されことにより、前記第１の光路Ｌ１により前記光路分離手段２２に入射される。そして、第１の光ビームＢ１の一部が前記第３の光路Ｌ３により前記光パワーモニター用の光検出手段１６に受光され、第１の光ビームＢ１の残りは前記第２の光路Ｌ２により前記対物レンズ１４を介して光記録媒体１０２の記録面に照射される。
前記記録面で反射された反射光ビームは、前記第２の光路Ｌ２を通って前記光路分離手段２２に導かれ、前記第４光路Ｌ４により前記信号検出用の光検出手段１８に受光される。
【００２７】
前記信号検出用の光検出手段１８の検出信号は、再生信号として前記プリアンプ１２０、信号変復調部及びＥＣＣブロック１０８によって再生され、インターフェース１１１を介して外部に出力されるとともに、前記プリアンプ１２０によって演算処理されフォーカスエラー信号およびトラッキングエラー信号としてサーボ制御部１０９に出力される。
前記サーボ制御部１０９は、プリアンプ１２０によって増幅されたこれらエラー信号に基づいて前記光ヘッド１０４のフォーカスおよびトラッキングのサーボ制御を行なう。
【００２８】
次に、前記光記録媒体１０２がＣＤ、ＣＤ−Ｒなどで構成されている場合には、前記レーザ制御部１２１は、前記第２の光源１２をオンとする。これにより、第２の光源１２から出射された第２の光ビームＢ２は、前記カップリングレンズ２８、グレーティング素子３０を介して前記光路合成手段２０に入射される。
そして、前記光路合成手段２０に入射された第２の光ビームＢ２は、前記第１の光路Ｌ１により前記光路分離手段２２に導かれ、第２の光ビームＢ２の一部が前記第３の光路Ｌ３により前記光パワーモニター用の光検出手段１６に受光され、第２の光ビームＢ２の残りは前記第２の光路Ｌ２により前記対物レンズ１４を介して光記録媒体１０２の記録面に照射される。
そして、前記記録面で反射された反射光ビームは、前記第２の光路Ｌ２を通って前記光路分離手段２２に導かれ、前記第４光路Ｌ４により前記信号検出用の光検出手段１８に受光される。
この後の動作は上述の説明と同様であるため説明を省略する。
【００２９】
次に、前記光ヘッド１０４によって光記録媒体１０２に記録を行なう際の作用について説明する。
まず、前記光記録媒体１０２がＤＶＤ−Ｒで構成されている場合には、前記レーザ制御部１２１は、前記第１の光源１０をオンとする。これにより、第１の光源１０から出射された第１の光ビームＢ１は、前記アナモルフィックレンズ２４、グレーティング素子２６を介して前記光路合成手段２０に入射される。前記光路合成手段２０に入射された第１の光ビームＢ１は、前記第１の光路Ｌ１により前記光路分離手段２２に導かれ、第１の光ビームＢ１の一部が前記第３の光路Ｌ３により前記光パワーモニター用の光検出手段１６に受光され、第１の光ビームＢ１の残りは前記第２の光路Ｌ２により前記対物レンズ１４を介して光記録媒体１０２の記録面に照射される。
そして、前記記録面で反射された反射光ビームは、前記第２の光路Ｌ２を通って前記光路分離手段２２に導かれ、前記第４光路Ｌ４により前記信号検出用の光検出手段１８に受光される。
【００３０】
前記光ヘッド１０４のフォーカスおよびトラッキングのサーボ制御は再生時と同様に行なわれる。
前記レーザ制御部１２１が前記第１の光源１０から出射される第１の光ビームＢ１の光量を記録データに基づいて変調することにより、前記記録面に記録がなされる。この際、前記レーザ制御部１２１は、前記光パワー検出用の光検出手段１６の検出信号に基づいて前記第１の光源１０から出射される第１の光ビームＢ１の光量を記録に適した値に制御する。
【００３１】
次に、前記光記録媒体１０２がＣＤ−Ｒで構成されている場合には、前記レーザ制御部１２１は、前記第２の光源１２をオンとする。これにより、第２の光源１２から出射された第２の光ビームＢ２は、前記カップリングレンズ２８、グレーティング素子３０を介して前記光路合成手段２０に入射される。前記光路合成手段２０に入射された第２の光ビームＢ２は、前記第１の光路Ｌ１により前記光路分離手段２２に導かれ、第２の光ビームＢ２の一部が前記第３の光路Ｌ３により前記光パワーモニター用の光検出手段１６に受光され、第２の光ビームＢ２の残りは前記第２の光路Ｌ２により前記対物レンズ１４を介して光記録媒体１０２の記録面に照射される。
そして、前記記録面で反射された反射光ビームは、前記第２の光路Ｌ２を通って前記光路分離手段２２に導かれ、前記第４光路Ｌ４により前記信号検出用の光検出手段１８に受光される。
【００３２】
前記光ヘッド１０４のフォーカスおよびトラッキングのサーボ制御は再生時と同様に行なわれる。
前記レーザ制御部１２１が前記第２の光源１２から出射される第２の光ビームＢ２の光量を記録データに基づいて変調することにより、前記記録面に記録がなされる。この際、前記レーザ制御部１２１は、前記光パワー検出用の光検出手段１６の検出信号に基づいて前記第２の光源１０から出射される第２の光ビームＢ２の光量を記録に適した値に制御する。
【００３３】
上述した第１の実施の形態によれば、単一の光パワーモニター用の光検出手段１６によって、互いに波長が異なる第１、第２の光ビームＢ１、Ｂ２の光パワーを検出するように構成したので、光パワーモニター用の光検出手段が１つで済み、部品点数を削減することができ、これにより、光ヘッド１０４および光ディスク装置１００のコスト削減および小型化を図る上で有利となる。
また、前記単一の信号検出用の光検出手段１８によって、互いに波長が異なる第１、第２の光ビームＢ１、Ｂ２の各反射光ビームを検出するように構成したので、信号検出用の光検出手段１８が１つで済み、部品点数を削減することができ、これにより、光ヘッド１０４および光ディスク装置１００のコスト削減および小型化を図る上で有利となる。
また、前記光検出手段１６、１８が占有するスペースが少なくて済むため、前記ホルダ４０上で前記第１、第２の光源１０、１２に近い箇所に前記レーザドライバＩＣ４２を配置することができる。このため、前記レーザドライバＩＣ４２と第１、第２の光源１０、１２の間の配線を短縮することができ、これによりレーザドライバＩＣ４２から発生するノイズが他の回路に影響を与えることを抑制することができる。
また、第１の光ビームＢ１のビーム整形を行なうアナモルフィックレンズ２４は、アナモプリズムに比較して外形が小さいため、アナモプリズムを用いる構成に比較して光ヘッドの小型化を図る上で有利となる。
また、従来の光ヘッドでは、アナモプリズムに入射する光ビームの光路の光軸が理想上の光軸位置とずれると収差が発生するため、前記光源と、アナモプリズムと、これら光源およびアナモプリズムの間の光路上に配置される光学部品と位置調整を精密に行なう必要があり、調整作業が煩雑になる欠点があった。これに対して、本実施の形態では、アナモプリズムを用いた構成に比較して光学的調整が容易なアナモルフィックレンズを用いた構成とすることにより、光ヘッドの組立作業を簡素化することができる。
また、従来の光ヘッドでは、光源から出射される光ビームから３ビームを生成するために、光利用効率の低い高価なホログラムレーザを使用していたが、本実施の形態では、光源及び受光素子、回折光学素子を一つの部品に集積したホログラムレーザーを使用する必要がないため、第１、第２の光源から出射される第１、第２の光ビームの光利用効率を確保するとともに、コストを削減する上で有利である。
【００３４】
次に、本発明の第２の実施の形態について説明する。
図１０は、本発明の第２の実施の形態による光ヘッドの光学系を示す構成図である。図１０において図１と同様な部分には同一の符号を付して説明する。
第２の実施の形態の光ヘッド１０４Ａが第１の実施の形態の光ヘッド１０４と異なるのは、カップリングレンズ２８を省略し、アナモルフィックレンズの特性と配置を変更し、コリメータレンズの数と配置を変更した点である。以下では、前記光ヘッド１０４Ａについて第１の実施の形態と異なる部分を中心に説明する。
【００３５】
図１０において、光ヘッド１０４Ａは、第１の光源１０、第２の光源１２、対物レンズ１４、単一の光パワーモニタ用の光検出手段１６、単一の信号検出用の光検出手段１８、光路合成手段２０、光路分離手段２２、アナモルフィックレンズ４４、グレーティング素子２６、グレーティング素子３０、コリメータレンズ４６、４８、１／４波長板３４、立ち上げミラー３６、集光レンズ３８を備えており、これらの各部品がホルダ４０（図８および図１２参照）にマウントされて構成されている。
前記アナモルフィックレンズ４４と前記グレーティング素子２６は、前記第１の光源１０と前記光路合成手段２０の第１の面の間の光路上に配置されている。前記アナモルフィックレンズ４４は、図１１に示すように、前記第１の光源１０から出射される第１の光ビームＢ１のビーム形状を楕円形状から真円形状に変換するとともに、整形後の光ビームを平行光として出射するアナモフィックコリメータレンズで構成されている。
前記グレーティング素子２６は、前記アナモルフィックレンズ２４と前記光路合成手段２０の第１の面の間の光路上に配置されている。
【００３６】
前記コリメータレンズ４６と前記グレーティング素子３０は、前記第２の光源１２と前記光路合成手段２０の第２の面の間の光路上に配置されている。
前記グレーティング素子３０は、前記コリメータレンズ４４と前記光路合成手段２０の第２の面の間の光路上に配置されている。
前記コリメータレンズ４６は、前記グレーティング素子３０から出射される３ビームの第２の光ビームＢ２を平行光にして前記光路合成手段２０に導くように構成されている。
【００３７】
前記前記１／４波長板３４と前記立ち上げミラー３６は前記第２の光路Ｌ２上に配置されている。
前記コリメータレンズ４８と集光レンズ３８は、前記第４の光路Ｌ４上に配置されている。
前記コリメータレンズ４８は前記集光レンズ３８と光路分離手段２２の間の光路上に配置されている。
前記コリメータレンズ４８は、前記第４の光路Ｌ４を通る前記第１、第２の光ビームの各反射光ビームを平行光にして前記集光レンズ３８に導くように構成されている。
【００３８】
前記光路合成手段２０は、第１の実施の形態と同様に、前記第１、第２の光源１０、１２のそれぞれから出射された第１、第２の光ビームＢ１、Ｂ２のそれぞれが単一の第１の光路Ｌ１上を通るようにそれらの光路を合成している。
【００３９】
前記光路分離手段２２は、前記第１の光路Ｌ１を通って入射する前記第１、第２の光ビームＢ１、Ｂ２を反射して前記１／４波長板３４、立ち上げミラー３６を介して対物レンズ１４へ導き対物レンズ１４から光記録媒体１０２に照射させる第２の光路Ｌ２を形成するとともに、前記第１、第２の光ビームＢ１、Ｂ２を透過して前記対物レンズ１４と異なる箇所に導く第３の光路Ｌ３を形成している。
前記第３の光路Ｌ３上には、第１の実施の形態と同様に前記光パワーモニタ用の光検出手段１６が位置しており、このパワーモニタ用の光検出手段１６により前記光分離手段２２を透過した前記第１、第２の光ビームＢ１、Ｂ２が受光されるようになっている。
【００４０】
前記光記録媒体１０２に照射された第１、第２の光ビームＢ１、Ｂ２が前記記録媒体１０２の記録面で反射された反射光ビームは、前記対物レンズ１４、立ち上げミラー３６、１／４波長板３４をこの順に通って、すなわち前記第２の光路Ｌ２を逆に通って前記光路分離手段２２に入射する。
そして、前記光路分離手段２２に入射された第１、第２の光ビームＢ１、Ｂ２の反射光ビームは該光路分離手段２２を透過することにより前記第３の光路Ｌ３とは異なる第４の光路Ｌ４に導かれる。
前記第４の光路Ｌ４上には、前記コリメータレンズ４８、集光レンズ３８が位置しており、前記光分離手段２２を透過した前記第１、第２の光ビームＢ１、Ｂ２の反射光ビームが前記コリメータレンズ４８で平行光にされた後、集光レンズ３８で集光され前記信号検出用の光検出手段１８により受光されるようになっている。
【００４１】
上述した構成からなる光ヘッド１０４Ａは、図１２に示すように、ホルダ４０にマウントされて配置されている。
そして、前記第２の光路Ｌ２と第４の光路Ｌ４がスレッド軸４００２に対してほぼ直交する方向に延在し、これら第２の光路Ｌ２と第４の光路Ｌ４よりも光記録媒体の中心寄り箇所に光検出手段１６が配置され、これら第２の光路Ｌ２と第４の光路Ｌ４よりも光記録媒体の中心とは反対側の箇所には第１の光源１０と第２の光源１２と光路合成手段２０などが配置されている。
また、前記ホルダ４０上には、前記第１、第２の光源１０、１２に隣接した箇所に、前記レーザ制御部１２１の制御に基づいて前記第１、第２の光源１０、１２の駆動を行なうレーザドライバＩＣ４２が配置されている。
【００４２】
このように構成された第２の実施の形態の光ヘッド１０４Ａにおける記録および再生の動作は第１の実施の形態と同様であるため説明を省略する。
前記第２の実施の形態においても、第１の実施の形態と同様に、単一の光パワーモニター用の光検出手段１６によって、第１、第２の光ビームＢ１、Ｂ２の光パワーを検出するように構成し、また、前記単一の信号検出用の光検出手段１８によって、第１、第２の光ビームＢ１、Ｂ２の各反射光ビームを検出するように構成したので、部品点数を削減することができ、これにより、光ヘッド１０４および光ディスク装置１００のコスト削減および小型化を図る上で有利となる。
また、前記光検出手段１６、１８が占有するスペースが少なくて済むため、前記レーザドライバＩＣ４２と第１、第２の光源１０、１２の間の配線を短縮することができ、これによりレーザドライバＩＣ４２から発生するノイズが他の回路に影響を与えることを抑制することができる。
また、第１の光ビームＢ１のビーム整形を行なうアナモルフィックレンズ４４は、アナモプリズムに比較して外形が小さいため、アナモプリズムを用いる構成に比較して光ヘッドの小型化を図る上で有利となる。
また、アナモプリズムを用いた構成に比較して光学的調整が容易なアナモルフィックレンズを用いた構成とすることにより、光ヘッドの組立作業を簡素化することができる。
また、光源及び受光素子、回折光学素子を一つの部品に集積したホログラムレーザーを使用する必要がないため、第１、第２の光源から出射される第１、第２の光ビームの光利用効率を確保するとともに、コストを削減する上で有利である。
【００４３】
また、第２の実施の形態では、前記第１の光源１０から出射された第１の光ビームＢ１が前記アナモフィックレンズ４４によってビーム整形されるとともに、平行光とされて前記光路合成手段２０のビームスプリッタ膜２００２を透過する。また、前記第２の光源１２から出射された第２の光ビームＢ２が前記コリメータレンズ４６によって平行光とされて前記光路合成手段２０のビームスプリッタ膜２００２で反射される。そして、前記平行光とされた第１、第２の光ビームＢ１、Ｂ２が前記第１の光路Ｌ１を通って前記光路分離手段２２のビームスプリッタ膜２２０２に入射される。
したがって、前記ビームスプリッタ膜２００２、２２０２に入射される第１、第２光ビームがビームスプリッタ膜２００２、２２０２となす角度は、前記第１、第２の光ビームが発散光である場合に比較してより９０度に近くなる。
前記ビームスプリッタ膜２００２、２２０２は、前記角度が９０度に近いほど透過特性が安定する。この透過特性が安定した条件でビームスプリッタ膜を使用することできれば、ビームスプリッタ膜の材質を比較的安価なもので構成することが可能となる。したがって、前記光路合成手段２０、光路分離手段２２のコストを削減する上で有利となる。
【００４４】
なお、本発明は互いに波長が異なる光ビームをそれぞれ出射する複数の光源を３つ以上有して構成される光ヘッドおよび光ディスク装置にも無論適用可能である。
【００４５】
【発明の効果】
以上説明したように本発明の光ヘッドおよび光ディスク装置によれば、部品点数を削減して小型化を図り、使い勝手を向上させることができる。
【図面の簡単な説明】
【図１】本発明の第１の実施の形態による光ヘッドの光学系を示す構成図である。
【図２】本発明の第１の実施の形態における光ディスク装置の構成を示すブロック図である。
【図３】アナモルフィックレンズを透過する光ビームの説明図である。
【図４】光路合成手段のビームスプリッタ膜の透過特性を示す特性図である。
【図５】光路合成手段の説明図である。
【図６】光路分離手段のビームスプリッタ膜の透過特性を示す特性図である。
【図７】光路分離手段の説明図である。
【図８】第１の実施の形態の光ディスク装置の構成を示す平面図である。
【図９】第１の実施の形態の光ヘッドの平面図である。
【図１０】本発明の第２の実施の形態による光ヘッドの光学系を示す構成図である。
【図１１】アナモルフィックレンズを透過する光ビームの説明図である。
【図１２】第２の実施の形態の光ヘッドの平面図である。
【図１３】光ヘッドの光学系の第１の従来例を示す構成図である。
【図１４】光ヘッドの光学系の第２の従来例を示す構成図である。
【符号の説明】
１００……光ディスク装置、１０２……光記録媒体、１０４、１０４Ａ……光ヘッド、１０……第１の光源、１２……第２の光源、１４……対物レンズ、１６……光パワーモニタ用の光検出手段、１８……信号検出用の光検出手段、２０……光路合成手段、２２……光路分離手段、Ｌ１……第１の光路、Ｌ２……第２の光路、Ｌ３……第３の光路、Ｌ４……第４の光路。
【図１】
2004139668.tif 000003
【図２】
2004139668.tif 000004
【図３】
2004139668.tif 000005
【図４】
2004139668.tif 000006
【図５】
2004139668.tif 000007
【図６】
2004139668.tif 000008
【図７】
2004139668.tif 000009
【図８】
2004139668.tif 000010
【図９】
2004139668.tif 000011
【図１０】
2004139668.tif 000012
【図１１】
2004139668.tif 000013
【図１２】
2004139668.tif 000014
【図１３】
2004139668.tif 000015
【図１４】
2004139668.tif 000016